(57)【特許請求の範囲】
【請求項１】
１個の噴射用開口に、少なくとも２個の流体通路の噴射口を対向して臨ませ、各噴射口は、先細りテーパー状に形成されているとともに、噴射流が交差状態で衝突するように配置され、各流体通路は、流体供給量が調整可能な流体供給手段に接続されていることを特徴とする噴射流偏向ノズル。
【請求項２】
前記噴射流偏向ノズルを、浴槽に取付けて、浴水を噴射させるようにし、
前記各噴射口は、前記噴射用開口の中心に対して、対称位置に配置していることを特徴とする請求項１に記載の噴射流偏向ノズル。
【請求項３】
前記噴射用開口は、スリット形状であることを特徴とする請求項１または２に記載の噴射流偏向ノズル。
【請求項４】
前記噴射用開口に、エアー供給手段を接続していることを特徴とする請求項１〜３のいずれか一項に記載の噴射流偏向ノズル。
【請求項５】
前記噴射用開口に、４個の流体通路の噴射口を臨ませ、各噴射口を噴射用開口の中心に対して９０度間隔でずらせて配置していることを特徴とする請求項１〜４のいずれか一項に記載の噴射流偏向ノズル。
【発明の詳細な説明】
【技術分野】
【０００１】
本発明は、噴射流をスイングさせることができる噴射流偏向ノズルに関する。
【背景技術】
【０００２】
従来、噴射ノズルから浴槽内に微細気泡を含む浴水を噴射するようにした微細気泡発生装置を備えた浴槽〔いわゆるバブルジェット（登録商標）バス〕がある（例えば、特許文献１参照）。
【０００３】
前記のような噴射ノズルは、ポンプや弁等の流体供給手段の制御で、噴射タイミングや噴射流の強弱を変えることができるが、入浴している者に対して、一定の向きでスポット的に噴射できるだけであった。
【０００４】
また、手動で向きを変えることが可能な噴射ノズルも提案されているが、変えた向きでスポット的に噴射できるだけであった。
【０００５】
ところで、入浴している者の例えば背中に対して、噴射ノズルの噴射流を上下方向にスイング（偏向）させれば、マッサージによるもみあげ感等が得られることから、噴射ノズル自体を電動の駆動機構でスイング（偏向）させることが考えられる。
【特許文献１】特開２０００−３２５２４６号公報
【発明の開示】
【発明が解決しようとする課題】
【０００６】
しかしながら、噴射ノズルは水中に配置されていることから、電動の駆動機構との間で水密性や防錆性の対策が必要となって複雑で高価になるとともに、噴射ノズルの揺動部分に水垢等が付着してスイングしにくくなるのを防ぐために、頻繁に清掃しなければならないので、メンテナンスが煩わしいという問題があった。
【０００７】
本発明は、前記問題を解消するためになされたもので、シンプルで安価、かつメンテナンスフリーで噴射流をスイング（偏向）させることができる噴射流偏向ノズルを提供することを目的とするものである。
【課題を解決するための手段】
【０００８】
前記課題を解決するために、本発明は、１個の噴射用開口に、少なくとも２個の流体通路の噴射口を対向して臨ませ、各噴射口は、先細りテーパー状に形成されているとともに、噴射流が交差状態で衝突するように配置され、各流体通路は、流体供給量が調整可能な流体供給手段に接続されていることを特徴とする噴射流偏向ノズルを提供するものである。
【０００９】
前記噴射流偏向ノズルを、浴槽に取付けて、浴水を噴射させるようにし、流体供給量の調整をし易くするために、前記各噴射口は、前記噴射用開口の中心に対して、対称位置に配置している構成とすることが好ましい。
【００１０】
浴槽に用いて、マッサージによるもみあげ感をより向上させるために、前記噴射用開口は、スリット形状である構成とすることが好ましい。
【００１１】
浴槽に用いて、マッサージによる指圧感をより向上させるために、前記噴射用開口に、エアー供給手段を接続している構成とすることが好ましい。
【００１２】
浴槽に用いて、マッサージ効果をより向上させるために、前記噴射用開口に、４個の流体通路の噴射口を臨ませ、各噴射口を噴射用開口の中心に対して９０度間隔でずらせて配置している構成とすることができる。
【発明の効果】
【００１３】
本発明によれば、少なくとも２個の噴射口を噴射流が交差状態で衝突するように配置しているから、流体供給手段からの流体供給量を調整するだけで、噴射流をスイング（偏向）させることができる。
【００１４】
すなわち、例えば一方の流体通路の流体供給量を１００％、他方の流体通路の流体供給量を０％に調整すれば、一方の噴射口からのみ噴射流が斜め一方向に噴射され、逆に他方の流体通路の流体供給量を１００％、一方の流体通路の流体供給量を０％に調整すれば、他方の噴射口からのみ噴射流が斜め他方向に噴射され、さらに、一方と他方の流体通路の流体供給量を５０％づつに調整すれば、一方と他方の噴射口から噴射流が斜め一方向と他方向に噴射され、交差点で衝突することで、斜め方向から真っ直ぐ方向に偏向されて噴射されるようになる。
【００１５】
したがって、一方と他方の流体供給量が９０％と１０％、８０％と２０％、７０％と３０％、６０％と４０％と変動するように調整すれば、交差点での衝突で、斜め一方向の噴射流が徐々に真っ直ぐ方向に偏向されて噴射されるとともに、続いて一方と他方の流体供給量が４０％と６０％、３０％と７０％、２０％と８０％、１０％と９０％と変動するように調整すれば、交差点での衝突で、真っ直ぐ方向の噴射流が徐々に斜め他方向に偏向されて噴射されるようになる。
【００１６】
このように、流体供給手段からの流体供給量を調整するだけで、噴射流偏向ノズルからの噴射流をスイング（偏向）させることができるから、電動の駆動機構で噴射ノズルをスイングさせる場合には必要となる水密性や防錆性の対策が不要であるので、噴射流偏向ノズルや流体供給手段がシンプルで安価になるとともに、噴射流偏向ノズル自体はスイング（偏向）しないので、水垢等が付着してもスイングしにくくなるおそれが全くないためにメンテナンスフリーとなる。
【００１７】
また、浴槽に噴射流偏向ノズルを取付けて、浴水を噴射させるようにすれば、入浴している者の例えば背中に対して、噴射流を上下方向にスイング（偏向）させることで、マッサージによるもみあげ感が得られるようになる。さらに、入浴している者の体格や好みに応じた噴射向きで流体供給量を固定すれば、その噴射向きでスポット的に噴射できるようになる。
【発明を実施するための最良の形態】
【００１８】
以下、本発明を実施するための最良の形態について、図面を参照しながら詳細に説明する。
【００１９】
図１は、噴射流偏向ノズル１の斜視図、図２は、図１のＡ−Ａ線断面図、図３は、図１のＢ−Ｂ線断面図である。
【００２０】
前記噴射流偏向ノズル１は、円筒状のノズル本体２を備え、ノズル本体２の両側外部には、水平状態で対向する２個の流体通路部４，５が一体的に連結されている。前記流体通路部４，５には、水平な流体通路４ａ，５ａと、この流体通路４ａ，５ａから斜め上向きに起き上がって、ノズル本体２の上部の噴射用開口３に対向して臨む先細りテーパー状の噴射口４ｂ，５ｂがそれぞれ形成されている。なお、流体通路４ａ，５ａは、水平では無く、噴射口４ｂ，５ｂに沿った斜め上向きに形成することも可能である。
【００２１】
前記噴射口４ｂ，５ｂは、噴射用開口３の中心Ｃに対して対称位置に配置されて、中心Ｃの位置で噴射流Ｄ，Ｅが交差状態で衝突するように配置されている。
【００２２】
前記ノズル本体２の下部には、流体通路部４，５と直交する方向にエアー供給管６が連結されて、このエアー供給管６からノズル本体２の下部の空間部７にコンプレッサー等からエアーｒが供給されるようになる。
【００２３】
前記ノズル本体２の上端部にフランジ部２ａが形成され、このフランジ部２ａの上面にパッキン８ａが取付けられている。
【００２４】
円筒状の取付け部材１０が設けられ、この取付け部材１０の上端部にフランジ部１０ａが形成され、このフランジ部１０ａの下面にパッキン８ｂが取付けられている。
【００２５】
前記噴射流偏向ノズル１は、図７（ａ）（ｂ）に示すように、浴槽２５の入浴者Ｎの背中に対向するＧ位置に取付ける場合には、流体通路部４を浴槽２５の上側位置とし、流体通路部５を浴槽２５の下側位置とした状態で、図２のように、浴槽２５の側壁２５ａに形成した取付け穴２５ｂの外周辺部に、ノズル本体２のフランジ部２ａのパッキン８ａを当てがう。
【００２６】
そして、浴槽２５の内部から取付け部材１０のスリーブ部１０ｂを取付け穴２５ｂに貫通させて、スリーブ部１０ｂの外周雄ねじ（不図示）をノズル本体２の噴射用開口３の内周雌ねじ（不図示）にねじ込むことで、取付け穴２５ｂの内周辺部にフランジ部１０ａのパッキン８ｂを当てがいながら、取付け部材１０でノズル本体２を浴槽２５の側壁２５ａに水密状態で取付けることができる。
【００２７】
前記ノズル本体２の噴射用開口３に位置する取付け部材１０のスリーブ部１０ｂ内には、噴射用開口部材１２が嵌合されて、ノズル本体２の底部２ｂで下端部が位置決めされた状態で、キャップ部材１３の外周雄ねじ（不図示）を取付け部材１０の内周雌ねじ（不図示）にねじ込むことで、キャップ部材１３で噴射用開口部材１２を押え込んで、ノズル本体２の噴射用開口３内に取付けられるようになる。
【００２８】
前記噴射用開口部材１２の下部には、前記ノズル本体２の噴射口４ｂ，５ｂに連なる誘導口１２ａ，１２ｂがそれぞれ形成されているとともに、この誘導口１２ａ，１２ｂの下部には、前記ノズル本体２の空間部７に開口する連通穴１２ｃがそれぞれ形成されている。前記噴射用開口部材１２の上部には、誘導口１２ａ，１２ｂの両側方から立上がる一対のスリット形成部１２ｄが形成されて、このスリット形成部１２ｄの間にスリット１２ｅが形成されることによって、前記噴射用開口３がスリット形状に形成されることになる。
【００２９】
前記スリット１２ｅは、浴槽２５の入浴者Ｎの背中に対向するＧ位置に取付ける場合には、浴槽２５の上下向きとなるように設定する。
【００３０】
前記浴槽２５の入浴者Ｎの背中に対向するＧ位置（以下で説明するＨ，Ｉ，Ｊ位置も同様。）は、背中の左右対称位置の２箇所にあって、噴射流偏向ノズル１はそれぞれの位置に取付けられている。
【００３１】
前記ノズル本体２の流体通路部４，５の流体通路４ａ，５ａは、図４に略画的に示すように、流体供給量が調整可能な流体供給手段１５にホース等で接続されている。この流体供給手段１５は、ポンプ１６と流体制御弁１７とで構成されている。
【００３２】
前記流体制御弁１７は、図５に略画的に示すように（具体的な構成については後述する。）、シリンダー部１８ａの円周方向の対称位置に２個の流出路１８ｂ，１８ｃを有し、軸方向の下端部（図５では紙面の奥側）にポンプ１６からの流入路１８ｄを有する弁ハウジング１８と、この弁ハウジング１８のシリンダー部１８ａ内に回転可能に嵌合されて、各流出口１８ｂ，１８ｃに跨って一致可能な出口穴１９ａと、軸方向の下端部（図５では紙面の奥側）に前記流入路１８ｄに一致する入口穴１９ｂとを有する弁体１９と、この弁体１９を連続回転させる電動モータ２０（図４参照）とを備えている。
【００３３】
そして、電動モータ２０で弁体１９を一方向回りに連続回転させて、流出路１８ｂに出口穴１９ａが完全に一致して、弁体１９で流出路１８ｃを完全に塞いだ図５（ａ）の時点では、流出路１８ｂに接続された流体通路４ａに対する流体供給量が１００％、流出路１８ｃに接続された流体通路５ａに対する流体供給量が０％となる。
【００３４】
同様に、流出路１８ｃに出口穴１９ａが完全に一致して、弁体１９で流出路１８ｂを完全に塞いだ図５（ｂ）の時点では、流体通路５ａに対する流体供給量が１００％、流体通路４ａに対する流体供給量が０％となる。
【００３５】
また、流出路１８ｂ，１８ｃに跨って（オーバーラップ）出口穴１９ａが一致した図５（ｃ）の時点では、流体通路４ａに対する流体供給量が５０％、流体通路５ａに対する流体供給量が５０％となる。
【００３６】
すなわち、図６を参照すれば、弁体１９の回転によって、流体通路４ａの流体供給量を１００％、流体通路５ａの流体供給量を０％に調整すれば、噴射口４ｂからのみ噴射流が斜め下方向に噴射ａされ、逆に流体通路５ａの流体供給量を１００％、流体通路４ａの流体供給量を０％に調整すれば、噴射口５ｂからのみ噴射流が斜め上方向に噴射ｋされ、さらに、流体通路４ａ，５ａの流体供給量を５０％づつに調整すれば、噴射口４ｂ，５ｂから噴射流が斜め下方向と斜め上方向に噴射され、交差点ｍで衝突することで、斜め方向から真っ直ぐ方向に偏向されて噴射ｆされるようになる。
【００３７】
したがって、流体通路４ａ，５ａの流体供給量が９０％と１０％、８０％と２０％、７０％と３０％、６０％と４０％、５０％と５０％と変動するように調整すれば、交差点ｍでの衝突で、斜め下方向の噴射流が徐々に真っ直ぐ方向に偏向されて噴射ｂ→ｆされるとともに、続いて流体通路４ａ，５ａの流体供給量が４０％と６０％、３０％と７０％、２０％と８０％、１０％と９０％と変動するように調整すれば、交差点ｍでの衝突で、真っ直ぐ方向の噴射流が徐々に斜め上方向に偏向されて噴射ｇ→ｊされるようになる。
【００３８】
前記のように噴射流偏向ノズル１を構成すれば、流体供給手段１５の流体制御弁１７で流体供給量を調整するだけで、噴射流偏向ノズル１からの噴射流を下方から上方にスイングさせることができるから、入浴者Ｎの背中に対して、噴射流を下方から上方にスイング（偏向）させることで、マッサージによるもみあげ感が得られるようになる。なお、電動モータ２０の逆転で、噴射流偏向ノズル１からの噴射流を上方から下方にスイングさせることも可能である。なおまた、下方から上方にスイング、ついで上方から下方にスイングを交互に繰り返すことも可能である。
【００３９】
また、流体供給手段１５からの流体供給量を調整するだけで、噴射流偏向ノズル１からの噴射流をスイング（偏向）させることができるから、電動の駆動機構で噴射ノズルをスイングさせる場合には必要となる水密性や防錆性の対策が不要であるので、噴射流偏向ノズル１や流体供給手段１５がシンプルで安価になるとともに、噴射流偏向ノズル１自体はスイング（偏向）しないので、水垢等が付着してもスイングしにくくなるおそれが全くないためにメンテナンスフリーとなる。
【００４０】
さらに、エアー供給管６から噴射用開口３、つまりノズル本体２の誘導口１２ａ，１２ｂにエアーｒが供給されて、このエアーｒが噴射口４ｂ，５ｂからの噴射流に泡（バブル）状に巻き込まれて噴射されるので、マッサージによる指圧感をより向上させることができる。
【００４１】
また、入浴者Ｎの体格や好みに応じた噴射向きで電動モータ２０を停止させて、流体制御弁１７での流体供給量を固定すれば、その噴射向きでスポット的に噴射できるようになる。
【００４２】
さらに、各噴射口４ｂ，５ｂは、噴射用開口３の中心Ｃに対して、対称位置に配置しているから、流体供給量の調整がし易くなる。
【００４３】
また、噴射用開口３は、噴射用開口部材１２のスリット形成部１２ｄでスリット１２ｅの形状であるから、噴射流をスリット１２ｅの幅方向に絞り込んで集束できるので、マッサージによるもみあげ感をより向上させることができる。
【００４４】
さらに、流体供給手段１５のポンプ１６からの流体供給量を調整すれば、噴射口４ｂ，５ｂから噴射流の強弱を調整することができる。
【００４５】
図８に示すように、前記噴射流偏向ノズル１のノズル本体２の噴射用開口３に、浴槽２５の上下向きの噴射口４ｂ，５ｂ対して９０度ずらせた左右向きに、さらに噴射口４ｂ´，５ｂ´を臨ませ、この噴射口４ｂ´，５ｂ´に対して、流体制御弁１７´、電動モータ２０´等を別に設けて、噴射口４ｂ，５ｂで噴射流を下方から上方にスイングさせ（上方から下方にスイングさせることも可）、ついで、噴射口４ｂ´，５ｂ´で噴射流を左方から右方にスイングさせることができるから（右方から左方にスイングさせることも可）、マッサージ効果をより向上させることができる。なお、噴射口４ｂ，５ｂは、２個または４個に限らず、３個または５個以上であっても良い。
【００４６】
前記実施形態では、図７に示したように、浴槽２５の入浴者Ｎの背中に対向するＧ位置に噴射流偏向ノズル１を取付けたものであったが、足裏に対向するＨ位置に噴射流偏向ノズル１を取付けることもできる。また、ふくらはぎ部に対向するＩ位置や太もも部に対抗するＪ位置に噴射流偏向ノズル１を取付けることもできる。
【００４７】
さらに、背中に対向するＧ位置のさらに上方位置Ｋに、偏向しない固定の噴射ノズル２４を取付けて、入浴者Ｎの背中に対して、噴射流偏向ノズル１で噴射流を下方から上方にスイング（偏向）させ、そのスイングの上方端に合わせて、固定の噴射ノズル２４からスポット的に噴射流を噴射させるようにすれば、マッサージ効果をより向上させることができる。なお、噴射流偏向ノズル１と同様に、固定の噴射ノズル２４も背中の左右対称位置の２箇所にそれぞれ取付けられている。
【００４８】
次に、前記流体制御弁１７の具体的な構成を構成を説明する。図９は、第１実施形態の流体制御弁１７（Ａ）の要部分解斜視図、図１０（ａ）は、図９の組み立て後のＰ−Ｐ線断面図、図１０（ｂ）は、図９の組み立て後のＱ−Ｑ線断面図である。
【００４９】
前記流体制御弁１７（Ａ）は、シリンダー部１８ａを形成した四角形状の弁ハウジング１８を備え、シリンダー部１８ａの円周方向に対応する弁ハウジング１８の三側面に３個の流出路１８ｂ，１８ｃ，１８ｅが平面視でＴ字状に形成され、シリンダー部１８ａの軸方向の一端部〔図１０（ｂ）では上側〕に連なって、弁押えリング２１ａを介してねじ込み固定した押え部材２１に前記ポンプ１６からの流入路１８ｄが形成されている。
【００５０】
流出路１８ｂは、噴射流偏向ノズル１の流体通路４ａにホースで接続され、流出路１８ｃは、噴射流偏向ノズル１の流体通路５ａにホースで接続され、流出路１８ｅは、浴槽２５の上方位置Ｋに取付けた偏向しない固定の噴射ノズル２４に接続されている。
【００５１】
弁ハウジング１８のシリンダー部１８ａ内には弁体１９が回転可能に嵌合され、この弁体１９には、隣接する流出口１８ｂと１８ｃ，１８ｃと１８ｅに跨って一致可能な出口穴１９ａが側面に形成され、軸方向の一端部〔図１０（ｂ）では上側〕に、前記流入路１８ｄに一致する入口穴１９ｂが形成されている。なお、弁体１９の出口穴１９ａは、図１０（ａ）にθ１で示す開口角度に拡大することも可能である。
【００５２】
弁ハウジング１８の下面には減速機付きの電動モータ２０を収納したボックス２２が固定され、電動モータ２０の出力軸２０ａが弁体１９の軸方向の他端部〔図１０（ｂ）では下側〕に連結されて、電動モータ２０により、弁体１９を連続回転させるようになっている。
【００５３】
前記流体制御弁１７（Ａ）では、電動モータ２０で弁体１９を一方向回りに連続回転させて、流出路１８ｂに出口穴１９ａが完全に一致して、弁体１９で流出路１８ｃ，１８ｅを完全に塞いだ時点では、流体通路４ａに対する流体供給量が１００％、流体通路５ａと固定の噴射ノズル２４に対する流体供給量が０％となる。
【００５４】
同様に、流出路１８ｃに出口穴１９ａが完全に一致して、弁体１９で流出路１８ｂ，１８ｅを完全に塞いだ図１０（ａ）の時点では、流体通路５ａに対する流体供給量が１００％、流体通路４ａと固定の噴射ノズル２４に対する流体供給量が０％となる。
【００５５】
同様に、流出路１８ｅに出口穴１９ａが完全に一致して、弁体１９で流出路１８ｂ，１８ｃを完全に塞いだ時点では、固定の噴射ノズル２４に対する流体供給量が１００％、流体通路４ａと流体通路５ａに対する流体供給量が０％となる。
【００５６】
また、流出路１８ｂ，１８ｃに跨って（オーバーラップ）して出口穴１９ａが一致した時点では、流体通路５ａに対する流体供給量が５０％、流体通路４ａに対する流体供給量が５０％となり、流出路１８ｃ，１８ｅに跨って（オーバーラップ）して出口穴１９ａが一致した時点では、流体通路５ａに対する流体供給量が５０％、固定の噴射ノズル２４に対する流体供給量が５０％となる。
【００５７】
すなわち、先に図６を用いて説明した場合と同様に、流体通路４ａ，５ａの流体供給量が１００％と０％、９０％と１０％、８０％と２０％、７０％と３０％、６０％と４０％、５０％と５０％と変動するように調整すれば、斜め下方向の噴射流が徐々に真っ直ぐ方向に偏向されて噴射ａ→ｆされるとともに、続いて流体通路４ａ，５ａの流体供給量が４０％と６０％、３０％と７０％、２０％と８０％、１０％と９０％、０％と１００％と変動するように調整すれば、真っ直ぐ方向の噴射流が徐々に斜め上方向に偏向されて噴射ｇ→ｋされるようになる。
【００５８】
また、流体通路５ａと固定の噴射ノズル２４の流体供給量は、１００％と０％、９０％と１０％、……１０％と９０％、０％と１００％のように調整されるから、入浴者Ｎの背中に対して、噴射流偏向ノズル１で噴射流を下方から上方にスイング（偏向）させ、そのスイングの上方端に合わせて、固定の噴射ノズル２４からスポット的に噴射流が噴射されるようになる。
【００５９】
このように、前記流体制御弁１７（Ａ）では、連続的に流出路１８ｂ，１８ｃ，１８ｅを変更しながら、各流出路１８ｂ，１８ｃ，１８ｅの流量をリニアに増減できるようになる。
【００６０】
図１１は、第２実施形態の流体制御弁１７（Ｂ）の要部分解斜視図、図１２（ａ）は、図１１の組み立て後のＲ−Ｒ線断面図、図１２（ｂ）は、図１１の組み立て後のＳ−Ｓ線断面図である。
【００６１】
前記流体制御弁１７（Ｂ）は、シリンダー部１８ａを形成した三角形状の弁ハウジング１８を備え、シリンダー部１８ａの円周方向に対応する弁ハウジング１８の三側面に３個の流出路１８ｂ，１８ｃ，１８ｅが平面視で三つ又状に形成され、シリンダー部１８ａの軸方向の一端部〔図１１（ｂ）では上側〕に連なって、弁押えリング２１ａを介してねじ込み固定した押え部材２１に前記ポンプ１６からの流入路１８ｄが形成されている。
【００６２】
流出路１８ｂは、噴射流偏向ノズル１の流体通路４ａにホース等で接続され、流出路１８ｃは、噴射流偏向ノズル１の流体通路５ａにホース等で接続され、流出路１８ｅは、浴槽２５の上方位置Ｋに取付けた偏向しない固定の噴射ノズル２４にホース等で接続されている。
【００６３】
弁ハウジング１８のシリンダー部１８ａ内には弁体１９が回転可能に嵌合され、この弁体１９には、隣接する流出口１８ｂと１８ｃ，１８ｃと１８ｅに跨って一致可能な出口穴１９ａが側面に形成され、軸方向の一端部〔図１１（ｂ）では上側〕に、前記流入路１８ｄに一致する入口穴１９ｂが形成されている。なお、弁体１９の出口穴１９ａは、図１２（ａ）にθ２で示す開口角度に縮小することも可能である。
【００６４】
弁ハウジング１８の下面には減速機付きの電動モータ２０を収納したボックス２２が固定され、電動モータ２０の出力軸２０ａが弁体１９の軸方向の他端部〔図１２（ｂ）では下側〕に連結されて、電動モータ２０により、弁体１９を連続回転させるようになっている。
【００６５】
前記流体制御弁１７（Ｂ）では、電動モータ２０で弁体１９を一方向回りに連続回転させることで、第１実施形態の流体制御弁１７（Ａ）と同様に、連続的に流出路１８ｂ，１８ｃ，１８ｅを変更しながら、各流出路１８ｂ，１８ｃ，１８ｅの流量をリニアに増減できるようになる。
【００６６】
図１３は、第３実施形態の流体制御弁１７（Ｃ）の分解斜視図、図１４（ａ）は、図１３の組み立て後のＴ−Ｔ線断面図、図１４（ｂ）は、図１３の組み立て後のＵ−Ｕ線断面図である。
【００６７】
前記流体制御弁１７（Ｃ）は、シリンダー部１８ａを形成した縦長円筒状の弁ハウジング１８を備え、シリンダー部１８ａの軸方向に一定の間隔を隔てて弁ハウジング１８の側面に３個の流出路１８ｂ，１８ｃ，１８ｅが形成され、シリンダー部１８ａの軸方向の一端部〔図１４（ｂ）では上側〕に連なって、弁押えリング２１ａを介してねじ込み固定した押え部材２１に前記ポンプ１６からの流入路１８ｄが形成されている。
【００６８】
流出路１８ｂは、噴射流偏向ノズル１の流体通路４ａにホース等で接続され、流出路１８ｃは、噴射流偏向ノズル１の流体通路５ａにホース等で接続され、流出路１８ｅは、浴槽２５の上方位置Ｋに取付けた偏向しない固定の噴射ノズル２４にホース等で接続されている。
【００６９】
弁ハウジング１８のシリンダー部１８ａ内には弁体１９が回転可能に嵌合され、この弁体１９には、各流出口１８ｂ，１８ｃ，１８ｅに対応して、隣接する流出口１８ｂと１８ｃ，１８ｃと１８ｅに跨って一致可能な３個の出口穴１９ｃ，１９ｄ，１９ｅが側面に形成され、軸方向の一端部〔図１４（ｂ）では上側〕に、前記流入路１８ｄに一致する入口穴１９ｂが形成されている。なお、弁体１９の出口穴１９ｃ〜１９ｅは、図１４（ａ）の出口穴１９ｃで例示するように、θ２で示す開口角度に縮小することも可能である。
【００７０】
弁ハウジング１８の下面には減速機付きの電動モータ２０を収納したボックス２２が固定され、電動モータ２０の出力軸２０ａが弁体１９の軸方向の他端部〔図１４（ｂ）では下側〕に連結されて、電動モータ２０により、弁体１９を連続回転させるようになっている。
【００７１】
前記電動モータ２０〔第１、第２実施形態の流体制御弁１７（Ａ），１７（Ｂ）の電動モータ２０でも同様。〕には、回転位置検出センサー３０が取付けられて、回転の原点を決める時に利用される。なお、電動モータ２０がステッピングモータであれば、パルス数で回転位置を検出できるので、不要である。
【００７２】
前記流体制御弁１７（Ｃ）では、電動モータ２０で弁体１９を一方向回りに連続回転させることで、第１実施形態の流体制御弁１７（Ａ）と同様に、連続的に流出路１８ｂ，１８ｃ，１８ｅを変更しながら、各流出路１８ｂ，１８ｃ，１８ｅの流量をリニアに増減できるようになる。
【００７３】
また、弁体１９には、各流出路１８ｂ，１８ｃ，１８ｅに対向する３個の出口穴１９ｃ，１９ｄ，１９ｅを形成しているから、出口穴１９ｃ，１９ｄ，１９ｅ毎に開口角度θ１，θ２を任意に拡縮することが可能になる。
【００７４】
前記実施形態では、浴槽２５の噴射流偏向ノズル１および流体制御弁１７（Ａ〜Ｃ）であったが、スプリンクラー、塗装用ノズル、部品洗浄ノズル等にも適用することができる。
【図面の簡単な説明】
【００７５】
【図１】本発明の実施形態に係る噴射流偏向ノズルの斜視図である。
【図２】図１のＡ−Ａ線断面図である。
【図３】図１のＢ−Ｂ線断面図である。
【図４】噴射流偏向ノズルと流体供給手段の略画的システム図である。
【図５】（ａ）〜（ｃ）は、流体制御弁の回転段階を示す略画的システム図である。
【図６】噴射流偏向ノズルの噴射流の偏向状態を示す図である。
【図７】浴槽であり、（ａ）は平面図、（ｂ）は側面図である。
【図８】変形例の噴射流偏向ノズルと流体供給手段の略画的システム図である。
【図９】第１実施形態の流体制御弁の要部分解斜視図である。
【図１０】（ａ）は、図９の組み立て後のＰ−Ｐ線断面図、（ｂ）は、図９の組み立て後のＱ−Ｑ線断面図である。
【図１１】第２実施形態の流体制御弁の要部分解斜視図である。
【図１２】（ａ）は、図１１の組み立て後のＲ−Ｒ線断面図、（ｂ）は、図１１の組み立て後のＳ−Ｓ線断面図である。
【図１３】第３実施形態の流体制御弁の分解斜視図である。
【図１４】（ａ）は、図１３の組み立て後のＴ−Ｔ線断面図、（ｂ）は、図１３の組み立て後のＵ−Ｕ線断面図である。
【符号の説明】
【００７６】
１      噴射流偏向ノズル
２      ノズル本体
３      噴射用開口
４ａ，５ａ  流体通路
４ｂ，５ｂ  噴射口
４ｂ´，５ｂ´  噴射口
５      エアー供給管（エアー供給手段）
１２    噴射用開口部材
１２ｅ  スリット
１５    流体供給手段
１７（Ａ，Ｂ，Ｃ）  流体制御弁（流体供給手段）
１８    弁ハウジング
１８ａ  シリンダー部
１８ｂ，１８ｃ．１８ｅ  流出路
１８ｄ  流入路
１９    弁体
１９ａ，１９ｃ〜１９ｅ  出口穴
１９ｂ  入口穴
２０    電動モータ（流体供給手段）
２４    固定の噴射ノズル
２５    浴槽
Ｃ      中心
Ｄ，Ｅ  噴射流
Ｇ〜Ｋ  取付け位置
ａ〜ｋ  噴射
ｍ    交差点
Ｎ    入浴者
【図１】
0004595707.tif 000002
【図２】
0004595707.tif 000003
【図３】
0004595707.tif 000004
【図４】
0004595707.tif 000005
【図５】
0004595707.tif 000006
【図６】
0004595707.tif 000007
【図７】
0004595707.tif 000008
【図８】
0004595707.tif 000009
【図９】
0004595707.tif 000010
【図１０】
0004595707.tif 000011
【図１１】
0004595707.tif 000012
【図１２】
0004595707.tif 000013
【図１３】
0004595707.tif 000014
【図１４】
0004595707.tif 000015